(57)【特許請求の範囲】
【請求項１】
１本の光ファイバ心線とこの光ファイバ心線を中心に挟んで配された２本のテンションメンバを有する光エレメント部と、この光エレメント部を支持する支持線を有する支持線部と、給電線を有する給電線部からなり、
１本の光ファイバ心線と、２本のテンションメンバと、支持線と、給電線は、これらの断面の中心が同一直線上に存在するように配されていて、シースで一体化されていることを特徴とする給電線複合型単心ドロップ光ファイバケーブル。
【請求項２】
光エレメント部と支持線部と給電線部の各部の境界部分のシースには、ブリッジ部が形成され、光エレメント部のシースの光ファイバ心線近傍には、引き裂き用の切り欠き部が形成されていることを特徴とする請求項１に記載の給電線複合型単心ドロップ光ファイバケーブル。
【請求項３】
１本の光ファイバ心線に、２本のテンションメンバをこれらが光ファイバ心線に対して対称位置となるように縦添えし、
ついで、支持線と給電線とを、光ファイバ心線と、テンションメンバと、支持線と、給電線の断面円の中心が同一直線上に存在するように配し、
ついで、これらをシースで一体化することを特徴とする給電線複合型単心ドロップ光ファイバケーブルの製造方法。
【発明の詳細な説明】
【０００１】
【発明の属する技術分野】
本発明は、集合住宅、ビルなどの加入者系への光配線に用いられる給電線複合型単心ドロップ光ファイバケーブル（以下、給電線複合型単心ドロップケーブルという。）に関する。
【０００２】
【従来の技術】
従来、ネットワークシステムにおいては、図２に示すように個別住宅の加入者端末２ｂへの光信号は、まず、通信設備センター１から、電柱等に設置されているＯＮＵ４ｂまで、光ケーブルを通して送信される。そして、このＯＮＵ４ｂにおいて、通信設備センター１から送られた光信号は電気信号に変換された後、各戸の加入者端末２ｂに引込みメタル線５ｂを通して送信されている。
この場合ＯＮＵ４ｂにおいては、光信号を電気信号に変換するための電力を必要とする。よって、最近では、通信設備センター１からＯＮＵ４ｂへの配線には、給電線を備えた図３に示すような複合型ドロップケーブル３０が使用されている。
この複合型ドロップケーブル３０は、鋼線３１を数本撚り合わせた裸テンションメンバの周上にポリエチレン被覆３３が設けられ、さらにその周上に、光ファイバ３４とテンションメンバ３２を有する光エレメント３５と、給電線３６を有する給電部３７が撚り合わせて集合された構造になっている。
【０００３】
一方、図２に示すように、集合住宅６やビル等の各加入端末２ａへの光信号は、これらの建物の壁面等に設置されたＯＮＵ４ａへと送られた後、このＯＮＵ４ａから引込みメタル線５ａを通して各加入者端末２ａへと送信されている。よって、複合型ドロップケーブル３０から、集合住宅６に設けられているＯＮＵ４ａへと光信号を送信するためには、給電線複合型の単心ドロップケーブル４０が必要となっている。
この給電線複合型単心ドロップケーブル４０としては、図４に示すように、光ファイバ４１とテンションメンバ４２が被覆された光エレメント４３と、この光エレメント部４３を支持する支持線４４が被覆された支持線部４６と、給電線４５が被覆された給電部４７が複合化された形態が例示できる。
【０００４】
【発明が解決しようとする課題】
しかしながら、このような形態では、光エレメント部と、支持線と、給電線とを複合化するためには、これらを個別に製造する３つの押出工程と、その後、これらを一体化する集合工程の合計４工程が必要となり、生産コストが高いという問題がある。また、得られた給電線複合型単心ドロップケーブルを使用する場合には、支持線を分離し、さらに給電線と光エレメントとを個別に接続する必要があるため、これらの分離作業が容易である必要があるが、従来例では、まず、支持線から光エレメント部を分離させてから光エレメント部から光ファイバを引き出す必要があり、さらに、支持線から給電部を分離させてから２本の給電線を取り出す必要があり、工程が煩雑であった。
【０００５】
本発明は前記事情に鑑みてなされたもので、光エレメント部と、支持線と、給電線とが一体化されていてケーブル敷設が簡便であるとともに、分離作業が少ない工程で容易に行える給電線複合型単心ドロップケーブルを低コストで提供することを課題とする。
【０００６】
【課題を解決するための手段】
本発明の給電線複合型単心ドロップケーブルは、１本の光ファイバ心線とこの光ファイバ心線を中心に挟んで配された２本のテンションメンバを有する光エレメント部と、この光エレメント部を支持する支持線を有する支持線部と、給電線を有する給電線部からなり、１本の光ファイバ心線と、２本のテンションメンバと、支持線と、給電線は、これらの断面の中心が同一直線上に存在するように配されていて、これらの周上にはシースで一体化されていることを特徴とする。
光エレメント部と支持線部と給電線部の各部の境界部分のシースには、ブリッジ部が形成され、光エレメント部のシースの光ファイバ心線近傍には、引き裂き用の切り欠き部が形成されていることが好ましい。
本発明の給電線複合型単心ドロップケーブルの製造方法は、１本の光ファイバ心線に、２本のテンションメンバをこれらが光ファイバ心線に対して対称位置となるように縦添えし、ついで、支持線と給電線とを、光ファイバ心線と、テンションメンバと、支持線と、給電線の断面円の中心が同一直線上に存在するように配し、ついで、これらを樹脂で一体化することを特徴とする。
【０００７】
【発明の実施の形態】
以下、本発明を詳しく説明する。
図１は、本発明の給電線複合型単心ドロップケーブル１０の断面図である。この給電線複合型単心ドロップケーブル１０は、光エレメント部１３と、支持線部１５と、給電線部１７から構成されている。
光エレメント部１３は、１本の光ファイバ心線１１と、この光ファイバ心線を中心に挟んで配された２本のテンションメンバ１２を有する。
光ファイバ心線１１としては、光ファイバ素線上に樹脂被覆が設けられた外径２５０μｍの単心心線が使用される。
テンションメンバ１２としては、通常０．２〜０．７ｍｍ程度の外径の鋼線の他、この鋼線に銅や亜鉛のめっきが施されためっき鋼線、合金鋼線等が使用される。
【０００８】
支持線部１５は、１〜２ｍｍ程度の外径の鋼線、めっき鋼線、合金鋼線等からなる支持線１４を有し、この支持線によって、給電線複合型単心ドロップケーブル１０が電柱間に架設されるようになっている。
給電部１７は、１〜２ｍｍ程度の外径の軟銅線等からなる給電線１６を有し、この給電線１６を通して電力が供給されるようになっている。
そして、光エレメント部１３と、支持線部１５と、給電線部１７は、ポリエチレン等の熱可塑性樹脂等からなるシース１８で一体化されていて、これらの断面形状は、支持線部１５は円形で、光エレメント部１３および給電線部１７は、矩形になっている。
【０００９】
この給電線複合型単心ドロップケーブル１０においては、１本の光ファイバ心線１１と、２本のテンションメンバ１２と、支持線１４と、給電線１６は、これらの断面の中心が同一直線Ｌ1 上に存在するように配されている。
また、光エレメント部１３において、シース１８の光ファイバ心線１１が位置する部分の両端部には、引き裂き用のくさび状の切り欠き部１８ａが形成されている。そして、光エレメント部１３と支持線部１５との間、光エレメント部１３と給電線部１７との間には、それぞれブリッジ部１８ｂが形成されていて、これら各部の分離を容易に行えるようになっている。
【００１０】
この給電線複合型単心ドロップケーブル１０の寸法には特に制限はないが、光エレメント部１３は、長径Ｄ1 が３．０ｍｍ、短径Ｄ2 が１．６ｍｍ、テンションメンバ１２の外径は０．４ｍｍである。
給電部１７は長径Ｄ3 が４．８ｍｍ、短径Ｄ4 が２．４ｍｍで、給電線１６の外径は通常１．２ｍｍである。
また、支持部１５は通常、外径Ｄ5 が２．４ｍｍ、支持線１４の外径が１．２ｍｍで、支持部１５におけるシース１８の厚さは０．６ｍｍである。そして、この給電線複合型単心ドロップケーブル１０の全体の長さＤ6 は１０．８ｍｍである。
【００１１】
この給電線複合型単心ドロップケーブル１０は、例えば、次にようにして製造できる。まず、光ファイバ素線を、紫外線硬化型樹脂が供給されたポットに通し、光ファイバ素線にこれを塗布する。ついで、塗布された紫外線硬化型樹脂を、架橋筒で紫外線照射により硬化し、光ファイバ心線１１とする。
そして、得られた光ファイバ心線１１に、２本のテンションメンバ１２をこれらが光ファイバ心線１１に対して対称位置となるように縦添えし、ついで、支持線１４と給電線１６とを、光ファイバ心線１１と、テンションメンバ１２と、支持線１４と、給電線１６の断面円の中心が同一直線上に存在するように配する。そして、これらを、押出機のクロスヘッドダイに通し、ポリエチレン等の溶融樹脂を押出被覆して、シース１８で一体化することによって給電線複合型単心ドロップケーブル１０を得る。
【００１２】
このような給電線複合型単心ドロップケーブル１０は、光ファイバ心線１１と、２本のテンションメンバ１２と、支持線１４と、給電線１６とを、シース１８で一体化することによって得られるため、少ない工程、低コストで製造できる。また、この給電線複合型単心ドロップケーブル１０は、光ファイバ心線１１と、２本のテンションメンバ１２と、支持線１４と、給電線１６とが、これらの断面円の中心が同一直線上に存在するように配されているため、従来例のものに比べて、分離作業が容易に行え、かつ、敷設も簡便に行うことができる。
さらに、光エレメント部１３と支持線部１５と給電線部１７の各部の境界部分のシース１８には、ブリッジ部１８ｂを形成し、光エレメント部１３のシース１８の光ファイバ心線１１近傍には、引き裂き用の切り欠き部１８ａを形成することにより、分離作業をより一層容易に行うことができる。
また、図示例では、支持線部１５、光エレメント部１３、給電線部１７の順序で一体化されているが、この順序には制限はなく、任意の順序で配列することができる。
【００１３】
【発明の効果】
以上説明したように本発明の給電線複合型単心ドロップケーブルは、低コストで生産できる上に、敷設作業、分離作業を容易に行うことができる。したがって、集合住宅やビル等に設置されたＯＮＵへの配線に特に適している。
【図面の簡単な説明】
【図１】  本発明の給電線複合型単心ドロップ光ファイバケーブルの一形態を示す断面図である。
【図２】  ネットワークシステムを説明する説明図である。
【図３】  複合型ドロップケーブルの断面図である。
【図４】  従来の給電線複合型単心ドロップ光ファイバケーブルの一形態を示す断面図である。
【符号の説明】
１０…給電線複合型単心ドロップ光ファイバケーブル、１１…光ファイバ心線、１２…テンションメンバ、１３…光エレメント部、１４…支持線、１５…支持線部、１６…給電線、１７…給電線部、１８…シース、１８ａ…切り欠き部、１８ｂ…ブリッジ部
【図１】
0003710672.tif 000002
【図２】
0003710672.tif 000003
【図３】
0003710672.tif 000004
【図４】
0003710672.tif 000005